(57)【要約】【課題】簡易な構成で、表面の一部に応力を集中することなくボールを保持することができるボールホルダを提供する。【解決手段】ボールホルダ１は、支持部２、及び支持部２の先端に接続し、ボール１０の表面に対向する内面３ｃを有するアーム部３を備え、アーム部３の内面３ｃは球面の一部を形成する。アーム部３が有する内面３ｃが球面の一部を形成するため、その内面３ｃをボール１０の表面に対向して、その内面全体によりボール１０を保持することにより、表面の一部に応力を集中することなく強度に欠けるボールをも保持することができる。【選択図】図３
0003200824.tif 000002
【実用新案登録請求の範囲】
【請求項１】
ボールを保持するボールホルダであって、
支持部と、
前記支持部の先端に接続し、前記ボールの表面に対向する内面を有するアーム部と、
を備え、前記アーム部の内面は球面の一部を形成することを特徴とする、ボールホルダ。
【請求項２】
前記アーム部の内面は、前記球面の曲率中心を基準として平面角１８０度以上の角度範囲で前記ボールの表面に対向することを特徴とする、請求項１に記載のボールホルダ。
【請求項３】
前記アーム部は、前記角度範囲の一端及び他端に位置する２つの端部を有し、
前記２つの端部の離間距離は、前記ボールの直径より小さいことを特徴とする、請求項２に記載のボールホルダ。
【請求項４】
前記アーム部は、前記２つの端部をそれぞれ有する２つのアームを有することを特徴とする、請求項３に記載のボールホルダ。
【請求項５】
前記２つのアームの少なくとも一方は、前記支持部の先端から端部までの長さに対して小さい幅を有することを特徴とする、請求項４に記載のボールホルダ。
【請求項６】
前記アーム部は、前記平面角を含む一面に交差する方向の少なくとも一側に、最大離間距離が前記ボールの直径より小さい側部を有することを特徴とする、請求項２から５のいずれか一項に記載のボールホルダ。
【請求項７】
前記アーム部は、弾性を有する素材を用いて成形されることを特徴とする、請求項１から６のいずれか一項に記載のボールホルダ。
【請求項８】
前記支持部は、開口が形成された基端を有することを特徴とする、請求項１から７のいずれか一項に記載のボールホルダ。
【考案の詳細な説明】
【技術分野】
【０００１】
本考案は、ボールを保持するボールホルダに関する。
【背景技術】
【０００２】
ゴルフ、卓球、ペタンク等の比較的小さいボールを用いる球技では、競技中に、予備のボールを、例えばポケットに入れるなどして保持することがある。しかし、ポケットにボールを入れ難い、ポケットからボールを出し難いなどの理由より、ボールを保持して身に付けることができるとともに、必要に応じてボールを取り出すことができるボールホルダが提案されている。
【０００３】
例えば特許文献１には、フック及びマーカー用挟み部の３点によりボールを保持するボールホルダが開示されている。また、特許文献２には、ボールを収容するするとともにボール表面に付着した汚れ、水等を拭き取ることができる袋状のボールホルダが開示されている。しかし、いずれのボールホルダもその構成は幾分複雑であり、またボールの表面の一部に応力が集中し、ボールを破損するおそれもある。
【先行技術文献】
【特許文献】
【０００４】
【特許文献１】特開２００２−０６５９１８号公報
【特許文献２】特開２００４−２５４８０２号公報
【考案の概要】
【考案が解決しようとする課題】
【０００５】
本考案は、簡易な構成で、表面の一部に応力を集中することなくボールを保持することができるボールホルダを提供することを課題とする。
【課題を解決するための手段】
【０００６】
本考案は、ボールを保持するボールホルダであって、支持部と、支持部の先端に接続し、ボールの表面に対向する内面を有するアーム部と、を備え、アーム部の内面は球面の一部を形成することを特徴とする、ボールホルダである。
【０００７】
これによれば、アーム部が有する内面が球面の一部を形成するため、その内面をボールの表面に対向して、その内面全体によりボールを保持することにより、表面の一部に応力を集中することなくボールを保持することができる。
【０００８】
本考案のボールホルダは、アーム部の内面は、球面の曲率中心を基準として平面角１８０度以上の角度範囲でボールの表面に対向することを特徴とする。
【０００９】
これによれば、アーム部の内面が球面の曲率中心を基準として平面角１８０度以上の角度範囲でボールの表面に対向するため、その内面全体によりボールを保持することができる。
【００１０】
本考案のボールホルダは、アーム部は、角度範囲の一端及び他端に位置する２つの端部を有し、２つの端部の離間距離は、ボールの直径より小さいことを特徴とする。
【００１１】
アーム部が有する２つの端部の離間距離がボールの直径より小さいことで、アーム部によりボールを覆って保持することができる。
【００１２】
本考案のボールホルダは、アーム部は、２つの端部をそれぞれ有する２つのアームを有することを特徴とする。
【００１３】
これによれば、アーム部が２つのアームを有することで、その２つのアームの内側にボールを覆って保持することができる。
【００１４】
本考案のボールホルダは、２つのアームの少なくとも一方は、支持部の先端から端部までの長さに対して小さい幅を有することを特徴とする。
【００１５】
これによれば、ボールホルダをコンパクトに構成することができる。
【００１６】
本考案のボールホルダは、アーム部は、平面角を含む一面に交差する方向の少なくとも一側に、最大離間距離がボールの直径より小さい側部を有することを特徴とする。
【００１７】
これによれば、アーム部の少なくとも一側の側部の最大離間距離がボールの直径より小さいことで、アーム部の内側にボールを保持することができる。
【００１８】
本考案のボールホルダは、アーム部は、弾性を有する素材を用いて成形されることを特徴とする。
【００１９】
これによれば、アーム部が弾性を有する素材を用いて成形されることで、アーム部を弾性変形して拡げることで、アーム部に保持されたボールを取り出すことができる。
【００２０】
本考案のボールホルダは、支持部は、開口が形成された基端を有することを特徴とする。
【００２１】
これによれば、支持部の基端に開口が形成されていることで、その開口を利用してボールホルダを任意の場所に留めることができる。
【考案の効果】
【００２２】
本考案のボールホルダによれば、簡易な構成で、表面の一部に応力を集中することなくボールを保持することが可能となる。
【図面の簡単な説明】
【００２３】
【図１】図１（Ａ）〜図１（Ｄ）は、それぞれ、ボールホルダの構成を示す上面図、正面図、底面図、及び側面図である。
【図２】図２は、図１（Ｂ）の基準線ＢＢに関する断面図である。
【図３】図３は、ボールホルダの使用状態を示す図である。
【考案を実施するための形態】
【００２４】
本考案の一実施形態について説明する。
【００２５】
図１に、本実施形態に係るボールホルダ１の構成を示す。図１（Ａ）〜図１（Ｄ）は、それぞれ、上面図、正面図、底面図、及び側面図である。また、図２に、図１（Ｂ）の基準線ＢＢに関するボールホルダ１の断面構成を示す。参考のため、それぞれの図において、ボールホルダ１により保持されるボール１０を点線を用いて併せて示す。なお、図１（Ｂ）における上下方向を高さ方向、左右方向を幅方向、及び奥行き方向を厚み方向とする。
【００２６】
ボールホルダ１は、ボール１０を保持するホルダである。本実施形態では、ボール１０は、例えばペタンクにおいて使用されるビュットを想定して、直径約３０ｍｍとする。ボールホルダ１は、大別して、支持部２及びアーム部３を含んで構成される。
【００２７】
支持部２は、アーム部３を支持するとともに、ユーザがこれを手指で保持してボールホルダ１を操るための部分である。支持部２は、一例として、プラスチックのような合成樹脂を用いて、長さ（Ｌ）約３２ｍｍ、幅（Ｗ）約１５ｍｍ、及び厚さ約２ｍｍを有する平板状に成形された支持部材２ａを有する。支持部材２ａの先端には、後述するアーム部３が取り付けられる。支持部材２ａの基端は、角を丸く落とされている。また、支持部材２ａには、基端の近傍に円形の開口２ｂが形成されている。開口２ｂを利用してボールホルダ１をユーザの衣服、ベルト、荷物等の任意の場所に留めることができる。また、ボールホルダ１をキーホルダとして活用することもできる。
【００２８】
アーム部３は、ボール１０を保持する部分であり、支持部材２ａの先端に設けられる。アーム部３は、弾性を有する素材、例えばプラスチックのような合成樹脂を用いて、高さ（Ｈ）約２５ｍｍ、横幅（横方向の幅）約３５ｍｍ、厚み方向の幅（Ｗ）約１５ｍｍ、及び厚さ約２ｍｍを有する球殻の一部をなす形状に成形されている。なお、本実施形態では、アーム部３は、支持部２と同じ素材を用いて一体的に成形されている。アーム部３は、２つのアーム３ａ，３ｂを有する。
【００２９】
２つのアーム３ａ，３ｂは、支持部材２ａの長手を高さ方向に向け、その先端からそれぞれ幅方向の一側（図１（Ｂ）における左側）及び他側（図１（Ｂ）における右側）に張り出し、湾曲して高さ方向に延びる。２つのアーム３ａ，３ｂの内面（すなわち、アーム部３の内面）３ｃは、連続する球面の一部を形成する。ここで、内面３ｃの曲率半径（Ｄ／２（図２参照））は、ボール１０の半径より若干大きい。例えば、ボールの半径約１５ｍｍに対して、内面の曲率半径Ｄ／２は約１５．５ｍｍである。それにより、後述するようにアーム部３にボール１０を保持した際に、内面３ｃは、若干（約０．５ｍｍ）の間隙を介してボール１０の表面にほぼ平行に対向する。
【００３０】
さらに、２つのアーム３ａ，３ｂの内面３ｃは、図１（Ｂ）の正面視において、曲率中心を基準として平面角１８０度以上の角度範囲に渡って広がっている。（つまり、アーム３ａの先端からアーム３ｂの先端までの角度範囲が１８０度以上である。）それにより、アーム部３によりボール１０を保持した際に、アーム部３の内面３ｃが平面角１８０度以上の角度範囲でボール１０の表面に対向し、内面３ｃ全体によりボール１０の半分以上を覆って、安定して保持することができる。
【００３１】
図３に、ボールホルダ１の使用状態を示す。アーム部３を弾性変形して２つのアーム３ａ，３ｂを拡げることで、ボール１０を、２つのアーム３ａ，３ｂの間を介して高さ方向からアーム部３の内側に入れて、保持することができる。また、アーム部３を弾性変形して２つのアーム３ａ，３ｂを拡げることで、保持されたボール１０を、２つのアーム３ａ，３ｂの間を介して高さ方向に取り出すことができる。
【００３２】
ここで、２つのアーム３ａ，３ｂの先端の離間距離ｄ１（図１（Ａ）参照）は約２６ｍｍであり、ボール１０の直径より小さい。また、２つのアーム３ａ，３ｂの厚み方向の側部の最大離間距離ｄ２（図１（Ｂ）参照）は約２８ｍｍであり、ボール１０の直径より小さい。それにより、アーム部３によりボールを覆って保持することができ、アーム部３を弾性変形して２つのアーム３ａ，３ｂを拡げない限り、保持されたボール１０は高さ方向にも厚み方向にも外れることがない。
【００３３】
また、２つのアーム３ａ，３ｂについて、支持部材２ａの先端からそれぞれの先端までの長さは幅に対して十分に長く（言い換えると、アーム部３は高さＨに対して小さい幅Ｗを有する）、また幅は厚みに対して十分大きい。２つのアーム３ａ，３ｂを弾性変形してそれらの先端を容易に拡げることができるのに対して、側部はほとんど拡げることができない。それにより、２つのアーム３ａ，３ｂの先端の間を介してボール１０を出し入れすることができるが、ボール１０が側部を介して外れることはない。従って、ボールホルダ１をコンパクトに構成することができる。
【００３４】
以上詳細に説明したように、本実施形態のボールホルダ１は、支持部２、及び支持部２の先端に接続し、ボール１０の表面に対向する内面３ｃを有するアーム部３を備え、アーム部３の内面３ｃは球面の一部を形成する。アーム部３が有する内面３ｃが球面の一部を形成するため、その内面３ｃをボール１０の表面に対向して、その内面全体によりボール１０を保持することにより、表面の一部に応力を集中することなく強度に欠けるボールをも保持することができる。
【００３５】
また、本実施形態のボールホルダ１によると、アーム部３は、２つのアーム３ａ，３ｂを有する。それにより、２つのアーム３ａ，３ｂの内側にボールを覆って保持することができる。
【００３６】
なお、本実施形態のボールホルダ１では、アーム部３はその底部中心で支持部２の先端に取り付けられているが、支持部２の先端に取り付けるアーム部３の位置は底部中心に限らず、その外側の任意の位置で取り付けてよい。例えば、アーム２ａの先端の外側を支持部２の先端に取り付けて、ボールホルダ１をフック形状に成形してもよい。
【００３７】
なお、本実施形態のボールホルダ１では、支持部２を平板状に成形したが、ユーザがこれを手指で保持してボールホルダ１を操ることができれば、平板状に限らず、例えば棒状等、任意の形状に成形してもよい。
【００３８】
なお、本実施形態のボールホルダ１では、アーム部３が有する２つのアーム２ａ，２ｂは一定の幅Ｗを有するものとしたが、ボール１０をアーム部３に保持するととともに、その内に出し入れすることができれば幅は一定に限られない、すなわち、２つのアーム２ａ，２ｂの形状は任意に定めることができる。
【００３９】
なお、本実施形態では、ペタンクを想定してボールの直径を３０ｍｍとしたが、卓球を想定して４０ｍｍとする、ゴルフを想定して４２．６７ｍｍとする、その他任意のサイズのボールに本実施形態のボールホルダ１を用いることができる。ボールの直径に比例して本実施形態の各サイズを変更すればよい。
【００４０】
特に、ボールが中空状であり破損しやすい卓球において有効である。
【産業上の利用可能性】
【００４１】
本考案のボールホルダは、ボールを保持するのに好適である。多くのプレイヤ（ボールを使用する球技の実施者）による利用が考えられる。
【符号の説明】
【００４２】
１    ボールホルダ
２    支持部
２ａ  支持部材
２ｂ  開口
３    アーム部
３ａ  アーム
３ｂ  アーム
３ｃ  内面
１０  ボール
【図１】
0003200824.tif 000003
【図２】
0003200824.tif 000004
【図３】
0003200824.tif 000005